【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
複数のキーワードが付与された音楽コンテンツデータを複数記憶した音楽コンテンツデータ記憶手段から所望の音楽コンテンツデータを選択するための音楽コンテンツデータ選択装置であって、
ユーザ操作に基づいて所望のキーワードを設定するキーワード設定手段と、
音楽コンテンツデータ記憶手段から、キーワード設定手段により設定されたキーワードに合致するキーワードが付与された音楽コンテンツデータを検索する音楽コンテンツデータ検索手段と、
音楽コンテンツデータ検索手段により検索された音楽コンテンツデータを示す音楽コンテンツ情報を表示する検索結果表示手段と、
ユーザ操作に基づいて、検索結果表示手段により表示された音楽コンテンツ情報から任意の音楽コンテンツ情報を選択する音楽コンテンツ選択手段と、
特定情報登録記憶手段に対し、音楽コンテンツ選択手段により選択された音楽コンテンツ情報を音楽コンテンツ指示情報として記憶すると共に、キーワード設定手段により設定されたキーワードを当該音楽コンテンツ指示情報に対応するキーワード情報として記憶する登録処理手段と、
特定情報登録記憶手段に対応して記憶されている音楽コンテンツ指示情報及びキーワードを互いに対応付けて表示する音楽コンテンツ情報表示手段と
を具備することを特徴とする音楽コンテンツデータ選択装置。
【請求項２】
登録処理手段は、音楽コンテンツ選択手段により選択された音楽コンテンツ情報に該当する音楽コンテンツ指示情報が特定情報登録記憶手段に既に記憶されている場合、特定情報登録記憶手段に既に記憶された当該音楽コンテンツ指示情報に対応して、キーワード設定手段により設定されたキーワードをキーワード情報として追加記憶することを特徴とする請求項１に記載の音楽コンテンツデータ選択装置。
【請求項３】
複数のキーワードが付与された音楽コンテンツデータを複数記憶した音楽コンテンツデータ記憶手段から所望の音楽コンテンツデータを選択するための音楽コンテンツデータ選択装置として機能するコンピュータに、
ユーザ操作に基づいて所望のキーワードを設定するキーワード設定ステップと、
音楽コンテンツデータ記憶手段から、キーワード設定ステップで設定されたキーワードに合致するキーワードが付与された音楽コンテンツデータを検索する音楽コンテンツデータ検索ステップと、
音楽コンテンツデータ検索ステップで検索された音楽コンテンツデータを示す音楽コンテンツ情報を表示する検索結果表示ステップと、
ユーザ操作に基づいて、検索結果表示ステップで表示された音楽コンテンツ情報から任意の音楽コンテンツ情報を選択する音楽コンテンツ選択ステップと、
特定情報登録記憶手段に対し、音楽コンテンツ選択ステップで選択された音楽コンテンツ情報を音楽コンテンツ指示情報として記憶すると共に、キーワード設定ステップで設定されたキーワードを当該音楽コンテンツ指示情報に対応するキーワード情報として記憶する登録処理ステップと、
特定情報登録記憶手段に対応して記憶されている音楽コンテンツ指示情報及びキーワードを互いに対応付けて表示する音楽コンテンツ情報表示ステップと
から成る手順を実行させる音楽コンテンツデータ選択プログラム。
【手続補正２】
【補正対象書類名】明細書
【補正対象項目名】発明の名称
【補正方法】変更
【補正の内容】
【発明の名称】音楽コンテンツデータ選択装置及びプログラム
【手続補正３】
【補正対象書類名】明細書
【補正対象項目名】０００１
【補正方法】変更
【補正の内容】
【０００１】
この発明は、電子楽器などの電子音楽装置において利用可能な多数の音楽コンテンツデータから所望の音楽コンテンツデータを効率的に選択することができる音楽コンテンツデータ選択装置及びプログラムに関する。
【手続補正４】
【補正対象書類名】明細書
【補正対象項目名】０００７
【補正方法】変更
【補正の内容】
【０００７】
この発明の主たる特徴に従うと、複数のキーワード（Ｄｂ）が付与された音楽コンテンツデータ（Ｍｄ）を複数（Ｍｄ１〜Ｍｄｎ）記憶した音楽コンテンツデータ記憶手段（ＭＳ：ＭＳ１，ＭＳ２，ＭＳｍ）から所望の音楽コンテンツデータを選択するための音楽コンテンツデータ選択装置（ＥＭ）であって、ユーザ操作に基づいて所望のキーワード（Ｋｙ：“○○○”）を設定するキーワード設定手段（ＫＳ：Ｓ３〜Ｓ５，Ｓ１６）と、音楽コンテンツデータ記憶手段（ＭＳ）から、キーワード設定手段（ＫＳ）により設定されたキーワード（Ｋｙ）に合致するキーワード（Ｄｂ）が付与された音楽コンテンツデータ（Ｍｄ）を検索する音楽コンテンツデータ検索手段（ＲＴ：Ｓ６〜Ｓ７，Ｓ１７）と、音楽コンテンツデータ検索手段（ＲＴ）により検索された音楽コンテンツデータを示す音楽コンテンツ情報（Ｄｃ）を表示する検索結果表示手段（ＤＳｒ：Ｓ８，Ｓ１８）と、ユーザ操作に基づいて、検索結果表示手段（ＤＳｒ）により表示された音楽コンテンツ情報（Ｄｃ）から任意の音楽コンテンツ情報（Ｄｃａ）を選択する音楽コンテンツ選択手段（ＳＲ：Ｓ２５〜Ｓ２６）と、特定情報登録記憶手段（フェイバリット記憶部ＦＲ）に対し、音楽コンテンツ選択手段（ＳＲ）により選択された音楽コンテンツ情報（Ｄｃａ）を音楽コンテンツ指示情報（Ｄｒ）として記憶すると共に、キーワード設定手段（ＫＳ）により設定されたキーワード（Ｋｙ）を当該音楽コンテンツ指示情報（Ｄｒ）に対応するキーワード情報（Ｋｒ）として記憶する登録処理手段（ＳＲ：Ｓ２７〜Ｓ２８、図６）と、特定情報登録記憶手段（ＦＲ）に対応して記憶されている音楽コンテンツ指示情報（Ｄｒ）及びキーワード（Ｋｒ）を互いに対応付けて表示する音楽コンテンツ情報表示手段〔ＤＳｆ：Ｓ２３（Ｓ４，Ｓ７，Ｓ１６，Ｓ２９）〕とを具備することを特徴とする音楽コンテンツデータ選択装置（ＥＭ）〔請求項１〕、並びに、複数のキーワード（Ｄｂ）が付与された音楽コンテンツデータ（Ｍｄ）を複数（Ｍｄ１〜Ｍｄｎ）記憶した音楽コンテンツデータ記憶手段（ＭＳ：ＭＳ１，ＭＳ２，ＭＳｍ）から所望の音楽コンテンツデータを選択するための音楽コンテンツデータ選択装置として機能するコンピュータ（ＥＭ）に、ユーザ操作に基づいて所望のキーワード（Ｋｙ：“○○○”）を設定するキーワード設定ステップ（ＫＳ：Ｓ３〜Ｓ５，Ｓ１６）と、音楽コンテンツデータ記憶手段（ＭＳ）から、キーワード設定ステップ（ＫＳ）で設定されたキーワード（Ｋｙ）に合致するキーワード（Ｄｂ）が付与された音楽コンテンツデータ（Ｍｄ）を検索する音楽コンテンツデータ検索ステップ（ＲＴ：Ｓ６〜Ｓ７，Ｓ１７）と、音楽コンテンツデータ検索ステップ（ＲＴ）で検索された音楽コンテンツデータを示す音楽コンテンツ情報（Ｄｃ）を表示する検索結果表示ステップ（ＤＳｒ：Ｓ８，Ｓ１８）と、ユーザ操作に基づいて、検索結果表示ステップ（ＤＳｒ）で表示された音楽コンテンツ情報（Ｄｃ）から任意の音楽コンテンツ情報（Ｄｃａ）を選択する音楽コンテンツ選択ステップ（ＳＲ：Ｓ２５〜Ｓ２６）と、特定情報登録記憶手段（フェイバリット記憶部ＦＲ）に対し、音楽コンテンツ選択ステップ（ＳＲ）で選択された音楽コンテンツ情報（Ｄｃａ）を音楽コンテンツ指示情報（Ｄｒ）として記憶すると共に、キーワード設定ステップ（ＫＳ）で設定されたキーワード（Ｋｙ）を当該音楽コンテンツ指示情報（Ｄｒ）に対応するキーワード情報（Ｋｒ）として記憶する登録処理ステップ（ＳＲ：Ｓ２７〜Ｓ２８、図６）と、特定情報登録記憶手段（ＦＲ）に対応して記憶されている音楽コンテンツ指示情報（Ｄｒ）及びキーワード（Ｋｒ）を互いに対応付けて表示する音楽コンテンツ情報表示ステップ〔ＤＳｆ：Ｓ２３（Ｓ４，Ｓ７，Ｓ１６，Ｓ２９）〕とから成る手順を実行させる音楽コンテンツデータ選択プログラム〔請求項３〕が提供される。なお、括弧書きは、理解の便のために付記した実施例の参照記号や用語等を表わし、以下においても同様である。
【手続補正５】
【補正対象書類名】明細書
【補正対象項目名】０００９
【補正方法】変更
【補正の内容】
【０００９】
この発明の主たる特徴による音楽コンテンツデータ選択装置及びプログラム（請求項１，３）では、アクセス可能な音楽コンテンツデータ記憶手段（ＭＳ：ＭＳ１，ＭＳ２，ＭＳｍ）に利用可能な多数の音楽コンテンツデータ（Ｍｄ：Ｍｄ１〜Ｍｄｎ）に用意されており、各音楽コンテンツデータ（Ｍｄ）には複数のキーワード（Ｄｂ）が付与されている。また、ユーザが選択した「フェイバリット」と呼ばれる所定の音楽コンテンツデータを登録するための特定情報登録記憶手段（フェイバリット記憶部ＦＲ）が設けられている。音楽コンテンツデータ記憶手段（ＭＳ）から所望の音楽コンテンツデータを選択するために、ユーザの設定操作に基づいて所望のキーワード（Ｋｙ：“○○○”）を設定すると（ＫＳ：Ｓ３〜Ｓ５，Ｓ１６）、音楽コンテンツデータ記憶手段（ＭＳ）から、設定されたキーワード（Ｋｙ）に合致するキーワード（Ｄｂ）が付与された音楽コンテンツデータ（Ｍｄ）を検索し（ＲＴ：Ｓ６〜Ｓ７，Ｓ１７）、検索の結果、抽出された音楽コンテンツデータを示す音楽コンテンツ情報（Ｄｃ）をディスプレイ（７）に表示する（ＤＳｒ：Ｓ８，Ｓ１８）。次いで、ユーザの選択操作に応じて、表示された音楽コンテンツ情報（Ｄｃ）から任意の音楽コンテンツ情報（Ｄｃａ）を選択し（ＳＲ：Ｓ２５〜Ｓ２６）、さらに、登録指示操作に応じて、特定情報登録記憶手段（ＦＲ）に対し、ユーザにより選択された所定の音楽コンテンツ情報（Ｄｃａ）を音楽コンテンツ指示情報（Ｄｒ）として記憶し、検索に用いられたキーワード（Ｋｙ）を当該音楽コンテンツ指示情報（Ｄｒ）に対応するキーワード情報（Ｋｒ）として記憶する（ＳＲ：Ｓ２７〜Ｓ２８、図６）。この記憶処理は「フェイバリット登録」と呼ばれ、ユーザのフェイバリット指定操作に応じて、特定情報登録記憶手段（ＦＲ）に記憶されている所定の音楽コンテンツ指示情報（Ｄｒ）及びキーワード情報（Ｋｒ）を読み出し、各音楽コンテンツ指示情報（Ｄｒ）を、対応するキーワード情報（Ｋｒ）と共に表示する〔ＤＳｆ：Ｓ２３（Ｓ４，Ｓ７，Ｓ１６，Ｓ２９）〕。
【手続補正６】
【補正対象書類名】明細書
【補正対象項目名】００１３
【補正方法】変更
【補正の内容】
【００１３】
〔システム構成の概要〕
図１は、この発明の一実施例による電子音楽装置のハードウエア構成例を示す。この発明の一実施例による電子音楽装置ＥＭは、電子的な音楽情報処理機能を有する一種のコンピュータであり、例えば、電子楽器のような音楽専用機器が用いられ、音楽コンテンツデータ選択モード時には音楽コンテンツデータ選択装置として機能することができる。この電子音楽装置ＥＭは、図示のように、中央処理装置（ＣＰＵ）１、ランダムアクセスメモリ（ＲＡＭ）２、読出専用メモリ（ＲＯＭ）３、第１及び第２外部記憶装置（「記憶装置１、２」）４，５、入力操作部６、表示部７、音源８、通信インターフェース（Ｉ／Ｆ）９などを備え、これらの要素１〜９はバス１０を介して互いに接続される。